(57)【要約】【課題】コンセントを、家庭電化製品から発せられる蒸気の影響を受けることなく良好に内部に設置できるキッチンの家庭電化製品収納庫を提供する。【解決手段】炊飯器等の家庭電化製品を収納し得る収納空間が形成されてなる家庭電化製品収納庫１１において、家庭電化製品収納庫１１内に、収納空間Ｓ側から開閉し得る遮蔽扉１８を備えて収納空間Ｓと隔離された隔離空間ＳＫを形成し、この隔離空間ＳＫ内にコンセント２７を設ける。【選択図】図３
2011000230.tif 000002
【特許請求の範囲】
【請求項１】
炊飯器等の家庭電化製品を収納し得る収納空間が形成されてなるキッチンの家庭電化製品収納庫において、
該家庭電化製品収納庫内に、前記収納空間側から開閉し得る遮蔽扉を備えて該収納空間と隔離された隔離空間を形成し、該隔離空間内にコンセントを設けた
ことを特徴とするキッチンの家庭電化製品収納庫。
【請求項２】
前記家庭電化製品収納庫には前記収納空間を開閉し得る扉が設けられていることを特徴とする請求項１に記載のキッチンの家庭電化製品収納庫。
【請求項３】
前記隔離空間を開閉し得る遮蔽扉は、上下にスライドする上下スライド式扉で構成されていることを特徴とする請求項１または請求項２に記載のキッチンの家庭電化製品収納庫。
【請求項４】
前記遮蔽扉の閉止状態における下方位置に、前記収納空間と前記隔離空間を連通し電気コードを通すことのできる凹部が形成されていることを特徴とする請求項１または請求項２または請求項３に記載のキッチンの家庭電化製品収納庫。
【発明の詳細な説明】
【技術分野】
【０００１】
本発明は、炊飯器等の家庭電化製品を収納し得る収納空間が形成されてなるキッチンの家庭電化製品収納庫に関するものである。
【背景技術】
【０００２】
従来、特許文献１に開示されているように、箱状の収納体内にコンセントを設け、収納体の前面に開閉可能に扉を設けた構造のコンセント収納体が存在する。
【先行技術文献】
【特許文献】
【０００３】
【特許文献１】特開平８−３７７１６号公報
【発明の概要】
【発明が解決しようとする課題】
【０００４】
上記特許文献１に開示されているコンセント収納体は、扉を設けることにより、埃が溜まることを防ぎ、また、子供がコンセントに触らないようにしたものであって、キッチンにおけるコンセントに対する蒸気の遮断を目的としたものではなかった。
即ち、キッチンにおいて炊飯器等の家庭電化製品を収納庫内に収納した場合には、炊飯器等から出る蒸気の影響で収納庫内の湿度が高くなり、収納庫内に設けられているコンセントの使用環境条件が悪化するという問題点があった。
【課題を解決するための手段】
【０００５】
本発明は、コンセントの使用環境条件が悪化することのないキッチンの家庭電化製品収納庫の提供を目的とし、この目的の少なくとも一部を達成するために以下の手段を採った。
本発明は、炊飯器等の家庭電化製品を収納し得る収納空間が形成されてなるキッチンの家庭電化製品収納庫において、該家庭電化製品収納庫内に、前記収納空間側から開閉し得る遮蔽扉を備えて該収納空間と隔離された隔離空間を形成し、該隔離空間内にコンセントを設けたことを要旨とする。ここで隔離空間とは、収納空間との空気の通りを完全に遮蔽するものではない。
【発明の効果】
【０００６】
収納庫内に炊飯器等を入れて使用する際に、炊飯器等から熱や蒸気が発生しても、コンセントは収納空間とは隔離された隔離空間内に設けられているため、熱や蒸気が隔離空間内のコンセントに悪影響を与えることが少なく、コンセントへの水滴等の付着などが良好に防がれ、コンセントの使用環境を良好に維持できるものとなる。
【０００７】
また、本発明のキッチンの家庭電化製品収納庫には、前記収納空間を開閉し得る扉が設けられているものとすることもできる。
こうすれば、扉を閉めることで収納空間内に収納されている炊飯器等の家庭電化製品を隠すことができ、すっきりとした収納状態が得られるものとなる。
【０００８】
また、本発明のキッチンの家庭電化製品収納庫において、前記隔離空間を開閉し得る遮蔽扉は、上下にスライドする上下スライド式扉で構成されているものとすることもできる。
こうすれば、遮蔽扉は収納空間側から上方へ引き上げて良好に開けることができ、また、遮蔽扉は自然に下方へ落下して閉止状態となるため、隔離空間に湿度を伝えにくいものとなる。また、遮蔽扉は上下方向に開閉されるため、前方側へは開かないために収納空間が広く使え、邪魔にならないものとなる。
【０００９】
また、本発明のキッチンの家庭電化製品収納庫において、前記遮蔽扉の閉止状態における下方位置に、前記収納空間と前記隔離空間を連通し電気コードを通すことのできる凹部が形成されているものとすることもできる。
こうすれば、凹部内に電気コードを通して、電気コードをコンセントに差し込んで使用することができ、この状態で遮蔽扉を閉止させても、遮蔽扉の下端で電気コードが挟み込まれることがなく、良好に遮蔽扉を閉止させることができるものとなる。また、遮蔽扉による電気コードの剪断が良好に防がれるものとなる。
【図面の簡単な説明】
【００１０】
【図１】キッチン設備の一例を示す斜視構成図である。
【図２】キッチン設備の一部を構成するトールキャビネットの拡大斜視構成図である。
【図３】トールキャビネットにおける家庭電化製品収納庫内部の拡大水平断面図である。
【図４】家庭電化製品収納庫内部に隔離空間を形成させるための仕切り部材の斜視構成図である。
【図５】仕切り部材の主要構成部材を裏面側から視た分解斜視図である。
【図６】仕切り部材の主要構成部材の前面側から視た分解斜視図である。
【図７】図３の要部拡大水平断面構成図である。
【図８】家庭電化製品収納庫内部に仕切り部材を取り付けた状態の縦断面拡大図である。
【発明を実施するための形態】
【００１１】
次に、本発明を実施するための形態を実施例を用いて説明する。
図１は、キッチン空間内に設置されるキッチン設備の斜視構成図であり、キッチン設備１は、流し台２の左右側にトールキャビネット３，４が立設されている。
流し台２は、カウンター５にコンロ６とシンク７が設けられており、カウンター５の下方には引出し８，８と食器洗い機８ａが設けられている。また、カウンター５の上方には収納空間を形成するアッパーキャビネット部９とレンジフード９ａが設けられている。
【００１２】
前記左右のトールキャビネット３，４は、それぞれ内部に収納空間が形成されているものであるが、図示左側のトールキャビネット３は、図２に拡大して斜視図で示すように、上下方向中央部に、ビルトインされた電子レンジ１０（この部分にオーブンレンジが収納される場合もある。）が設けられており、この電子レンジ１０の下方側に家庭電化製品収納庫１１が設けられており、電子レンジ１０の上方には扉１４ａを備えた収納庫１４が設けられている。
【００１３】
家庭電化製品収納庫１１内には、炊飯器等を収納できる収納空間Ｓが形成され、内部に炊飯器等を置くことのできる載置棚１２が設けられており、家庭電化製品収納庫１１の前面側には開閉可能に扉１１ａが設けられている。
この家庭電化製品収納庫１１の天井面１１ｂの上方、即ち電子レンジ１０の下面との間には、前面に蒸気排出口１３が形成され、この蒸気排出口１３の奥側には図示しない小型の換気扇が内蔵されている。即ち、収納空間Ｓ内で炊飯器等を使用する際に、炊飯器等から発する蒸気を、天井面１１ｂから小型換気扇で吸い出して蒸気排出口１３から前方側へ排出できるように構成されている。
【００１４】
なお、載置棚１２は前方側へスライドさせて引き出し可能であり、この載置棚１２上に炊飯器等を置いて、収納空間Ｓ内に載置棚１２を差し込んで収納空間Ｓ内に炊飯器等を収納させることができ、この状態で前面側の扉１１ａを閉じて、収納空間Ｓ内の炊飯器等を良好に隠すことができるものである。
【００１５】
家庭電化製品収納庫１１の拡大水平断面を図３に示す。
図３に示すように、家庭電化製品収納庫１１の収納空間Ｓの裏側には隔離空間ＳＫが形成されており、この隔離空間ＳＫ内の後面にコンセントを設置でき、遮蔽扉１８により隔離空間ＳＫを収納空間Ｓと遮蔽して隔離できる（後述するように、収納空間Ｓと隔離空間ＳＫを連通させる凹部１６ｄが開口されているため空気の通りを完全に遮蔽するものではない。）ように構成されている。
この隔離空間ＳＫを家庭電化製品収納庫１１内に形成するために、図４に拡大斜視図で示すステンレス製の仕切り部材１５が収納空間Ｓ内に取り付けられている。
【００１６】
この図４に示す仕切り部材１５の主要な構成部材の分解図は図６に示し、仕切り板片１６と、コの字箱体１７と、遮蔽扉１８を備えている。
また、図５には、仕切り板片１６とコの字箱体１７の裏側から視た分解図を示す。
なお、図７は、図３の要部を更に拡大して示す水平断面図であり、図８は、家庭電化製品収納庫１１内部に仕切り部材１５を取り付けた状態の縦断面拡大図である。
【００１７】
仕切り部材１５を構成する仕切り板片１６は、その左右端側に前方側へ９０°折り曲げて連結折り曲げ片１６ａ，１６ｂが形成されており、仕切り板片１６には横長の長方形状に貫通形成した開口１６ｃが形成され、この開口１６ｃの下端側中央部に、更に下方側へ凹み状に貫通させて凹部１６ｄが形成されている。
この仕切り板片１６の左右の連結折り曲げ片１６ａ，１６ｂには、それぞれ複数のビス孔１６ｅが形成されており、ビス孔１６ｅ内にビスを入れて、左右の連結折り曲げ片１６ａ，１６ｂに、それぞれ前方側へ延びる固定板片１９ａ，１９ｂを図４のように連結できるように構成されている。
【００１８】
また、前記コの字箱体１７は、背板部１７ａの左右端側に前方側へ折り曲げて側板部１７ｂ，１７ｃが形成されており、この左右の側板部１７ｂ，１７ｃのそれぞれの前端側には、更に９０°折り曲げて背板部１７ａと平行状に固定片１７ｄ，１７ｄが一体形成されている。このコの字箱体１７の背板部１７ａの下部部位には、横長状にコンセント嵌め込み開口１７ｅが貫通形成されている。
なお、遮蔽扉１８は、前面の下部部位に手で持つことのできる取っ手１８ａが前方側へ突出形成されており、遮蔽扉１８の上端裏面には後方側へ突出して上端水平片１８ｂが形成されている。
【００１９】
また、図５の裏面側の分解斜視図で示すように、コの字箱体１７の底面側には底板２２が取り付けられ、また、コの字箱体１７内に上方から天板２１が嵌め込まれて固定されるものである。
底板２２の外周には、コの字箱体１７の背板部１７ａおよび左右の側板部１７ｂ，１７ｃの内周面にスポット溶接で接合させるための折り曲げ固定片２２ａが形成されている。同様に、天板２１の外周にも、コの字箱体１７の背板部１７ａおよび左右の側板部１７ｂ，１７ｃの内周面にスポット溶接で接合させるための折り曲げ固定片２１ａ，２１ａが形成されている。
【００２０】
なお、コの字箱体１７の左右の側板部１７ｂ，１７ｃの前端側内周面には、Ｌ字状断面の縦長のＬ板２３，２３がそれぞれスポット溶接で図７のように固定されるものである。
左右のＬ板２３，２３がコの字箱体の側板部１７ｂ，１７ｃの内側に固定された状態で、コの字箱体１７の固定片１７ｄ，１７ｄをそれぞれスポット溶接で仕切り板片１６の開口１６ｃの裏側外周に固定すると、図７の水平拡大図で示すように、コの字箱体１７の固定片１７ｄとＬ板２３間に縦方向のレール部２６が形成されるものである。このレール部２６内には遮蔽扉１８の側端部が挿入される。
なお、遮蔽扉１８の側端外周には、予め扉側縁カバー材２４を取り付けておき、この扉側縁カバー材２４を介在させて遮蔽扉１８の側端部がレール部２６内に上下動可能に嵌め込まれる。なお、仕切り板片１６の開口１６ｃおよび凹部１６ｄの内周面には、樹脂製のエッジ保護材２５，２５を予め取り付けておく。
【００２１】
なお、図中２０は傾斜板であり、この傾斜板２０は、図８の縦断面図で示すように、仕切り板片１６の上端側前面にビス止めされて、前端側が家庭電化製品収納庫１１の天井面１１ｂにビスで連結されるものである。
この傾斜板２０と左右の固定板片１９ａ，１９ｂに囲まれた空間内が収納空間Ｓとなり、仕切り板部１６から後方側の、仕切り板片１６とコの字箱体１７と天板２１と底板２２で囲まれた空間が隔離空間ＳＫとなる。
【００２２】
なお、図３の水平断面で示すように、トールキャビネット３の木製の背板３ｃに、仕切り部材１５のコの字箱体１７の背板部１７ａが当接し、この背板部１７ａは背板３ｃにビス止めされて固定され、トールキャビネット３を構成する木製の側板３ａ，３ｂの内側には、左右の固定板片１９ａ，１９ｂがビス止めされ、更に、トールキャビネット３内に縦方向に延びる左右の縦桟木３ｅ，３ｅに、仕切り板片１６がビス止めされることにより、家庭電化製品収納庫１１内に仕切り部材１５が取り付けられる。
【００２３】
なお、トールキャビネットの背板３ｃには、予めコンセントを嵌め込むための横長長方形状の嵌め込み開口部３０が形成されており、この嵌め込み開口部３０に、コの字箱体１７の背板部１７ａに貫通形成されているコンセント嵌め込み開口１７ｅが整合されて、嵌め込み開口部３０およびコンセント嵌め込み開口１７ｅ内にコンセントが嵌め込まれ、コンセント嵌め込み開口１７ｅの前面側にコンセントカバー２７が設けられて、コンセントが隔離空間ＳＫ内に取り付けられる。
【００２４】
なお、隔離空間ＳＫの前面側の仕切り板片１６に形成された開口１６ｃには、前述した如く、上下スライド式で開閉できる遮蔽扉１８が設けられ、この遮蔽扉１８を閉じることで、隔離空間ＳＫは収納空間Ｓと遮蔽された状態となる。
なお、図８の縦断面図で示すように、仕切り板片１６の開口１６ｃの上端付近に、コの字箱体１７に固定された前記天板２１が配置され、隔離空間ＳＫの上面は、この天板２１により遮断される。また、隔離空間ＳＫの底面は、コの字箱体１７に固定された底板２２により遮断される。
【００２５】
この底板２２の左右端側の前記レール部２６，２６の部分には、上方へ立ち上げて扉当たり止め部２８，２８が設けられ、遮蔽扉１８を閉じた時に、遮蔽扉１８の下端が左右の扉当たり止め部２８，２８に当接することで、良好に開口１６ｃが遮蔽扉１８により閉止されるものである。
この遮蔽扉１８の閉止状態においても、凹部１６ｄは、収納空間Ｓと隔離空間ＳＫを連通させる状態に開口されており、この凹部１６ｄ内には炊飯器等の電気コードを挿通させて、電気コードを隔離空間ＳＫ内のコンセントに差し込んで使用することができるものである。従って、凹部１６ｄ内に電気コードが挿通されている状態で遮蔽扉１８を閉止させても、遮蔽扉１８の下端で電気コードを剪断することはなく、電気コードは遮蔽扉１８に挟み込まれることなく良好に凹部１６ｄ内に配置されるものである。
【００２６】
このように本例では、図４のように組み立てたステンレス製の仕切り部材１５を、家庭電化製品収納庫１１内に取り付けて、家庭電化製品収納庫１１内に収納空間Ｓとは隔離された隔離空間ＳＫを形成させることができ、この隔離空間ＳＫ内にコンセントを設けておくことができる。
収納空間Ｓ内で炊飯器等を使用する際に、炊飯器等から発せられる蒸気が隔離空間ＳＫ内には侵入しにくく、また、侵入するにしても蒸気の侵入には時間がかかり、そのために、隔離空間ＳＫ内に設置されたコンセントへの蒸気の影響は少なくなり、コンセントを良好な湿度環境に維持することができるものである。
即ち、収納空間Ｓ内に蒸気による水滴等が生じるような使用状況下でも、隔離空間ＳＫ内には水滴等が付着することはなく、コンセントの使用環境が良好なものとなる。
【００２７】
なお、遮蔽扉１８を閉ざしておけば奥側のコンセントは隠蔽されるため、埃等もコンセントに付着することが少なく、また、子供が悪戯でコンセントに触れることも良好に防げるものとなる。
なお、遮蔽扉１８は上下スライド式であるため、前方の収納空間Ｓ側に開くものではないため、邪魔になることなく収納空間Ｓを広く使用することができるものとなり、遮蔽扉１８は上方へスライドさせて開け、手を離すことにより自然に自重で落下して閉止されるため、扱い易いものとなる。
【００２８】
なお、収納空間Ｓ内には炊飯器の他に、電気ポット等の、蒸気あるいは熱を発する家庭電化製品を良好に収納させて使用することができ、扉１１ａを閉めることで、これらの家庭電化製品を隠蔽させて、すっきりとした家庭電化製品収納庫１１となる。
なお、図４に示す仕切り部材１５は一例であって、家庭電化製品収納庫１１の収納空間Ｓ内に取り付けることができて、収納空間Ｓとは隔離された隔離空間ＳＫを内部に形成させることができる形状のものであれば良い。
【符号の説明】
【００２９】
１  キッチン設備
２  流し台
３  トールキャビネット
１０  電子レンジ
１１  家庭電化製品収納庫
１１ａ  扉
１１ｂ  天井面
１２  載置棚
１３  蒸気排出口
１５  仕切り部材
１６  仕切り板片
１６ａ，１６ｂ  連結折り曲げ片
１６ｃ  開口
１６ｄ  凹部
１７  コの字箱体
１７ａ  背板部
１７ｂ，１７ｃ  側板部
１７ｅ  コンセント嵌め込み開口
１８  遮蔽扉
１８ａ  取っ手
１９ａ，１９ｂ  固定板片
２０  傾斜板
２３  Ｌ板
２６  レール部
２７  コンセントカバー
２８  扉当たり止め部
３０  コンセント嵌め込み開口部
Ｓ  収納空間
ＳＫ  隔離空間
【図１】
2011000230.tif 000003
【図２】
2011000230.tif 000004
【図３】
2011000230.tif 000005
【図４】
2011000230.tif 000006
【図５】
2011000230.tif 000007
【図６】
2011000230.tif 000008
【図７】
2011000230.tif 000009
【図８】
2011000230.tif 000010